(57)【要約】【課題】映像及び音声を途切れることなく切り替え、かつ消費電力を低減する。【解決手段】フルセグとワンセグとの電波を受信し、フルセグ又はワンセグの映像データを出力するデジタル放送受信装置１００であって、前記電波をデジタル信号に復調する復調部１０３と、前記デジタル信号に含まれるフルセグの映像データを復号するフルセグ復号部１０５と、前記デジタル信号に含まれるワンセグの映像データを復号するワンセグ復号部１０６と、フルセグ復号部１０５又はワンセグ復号部１０６により復号された映像データを選択する切替部１０７と、切替部１０７により選択された映像データを出力する出力部１０９と、切替部１０７がフルセグ復号部１０５により復号された映像データを選択しているとき、ワンセグ復号部１０６に復号処理の一部を省略させる制御部１０８とを備える。【選択図】図１
2009077039.tif 000002
【特許請求の範囲】
【請求項１】
第１デジタル放送と第２デジタル放送とが１つのチャンネルに階層化されて放送されるデジタル放送の電波を受信し、前記第１デジタル放送又は前記第２デジタル放送の映像データを出力するデジタル放送受信装置であって、
前記電波を受信する受信部と、
前記受信部により受信された前記電波をデジタル信号に復調する復調部と、
前記デジタル信号に含まれる前記第１デジタル放送の映像データである第１映像データが圧縮された第１データを復号する第１復号部と、
前記デジタル信号に含まれる前記第２デジタル放送の映像データである第２映像データが圧縮された第２データを復号する第２復号部と、
前記第１復号部により復号された前記第１映像データ、又は前記第２復号部により復号された前記第２映像データを選択する選択部と、
前記選択部により選択された前記第１映像データ又は前記第２映像データを出力する出力部と、
前記選択部が前記第１映像データを選択しているとき、前記第２復号部に復号処理の一部を省略させる制御部とを備える
ことを特徴とするデジタル放送受信装置。
【請求項２】
前記第２復号部は、
前記第２データをピクチャ単位のデータに分離し、分離したピクチャ単位のデータが自身のピクチャのみを用いて復号できる画面内予測符号化ピクチャのデータであるか、他のピクチャを参照し復号する画面間予測符号化ピクチャのデータであるかを判別する解析部と、
前記画面内予測符号化ピクチャのデータを復号することで前記第２映像データを生成する画面内予測符号化ピクチャ復号部と、
前記画面間予測符号化ピクチャのデータを復号することで前記第２映像データを生成する画面間予測符号化ピクチャ復号部とを備え、
前記制御部は、前記選択部が前記第１映像データを選択する場合に、前記画面間予測符号化ピクチャ復号部による前記画面間予測符号化ピクチャのデータの復号処理を省略させる
ことを特徴とする請求項１記載のデジタル放送受信装置。
【請求項３】
前記第２復号部は、さらに、
前記制御部による制御により、前記画面間予測符号化ピクチャ復号部による前記画面間予測符号化ピクチャのデータの復号処理が省略されている間、前記画面内予測符号化ピクチャ復号部により最後に復号された前記第２映像データを保持し、継続出力する保持部を備え、
前記選択部は、前記第１復号部により復号された前記第１映像データ、又は前記保持部により出力される前記第２映像データを選択する
ことを特徴とする請求項２記載のデジタル放送受信装置。
【請求項４】
前記第２復号部は、ピクチャ内における復号の処理単位の境界に生じるノイズを低減するデブロックフィルタ処理を行うデブロックフィルタ部を備え、
前記制御部は、前記選択部が前記第１映像データを選択する場合に、前記デブロックフィルタ部による前記デブロックフィルタ処理を省略させる
ことを特徴とする請求項１記載のデジタル放送受信装置。
【請求項５】
前記第２デジタル放送は、前記第１デジタル放送に比べて、低画質、かつ受信が容易であり、
前記選択部は、前記第１復号部において前記第１データを前記第１映像データに良好に復元できる場合に、前記第１映像データを選択し、前記第１データを前記第１映像データに良好に復元できない場合に、前記第２映像データを選択する
ことを特徴とする請求項１〜４のいずれか１項に記載のデジタル放送受信装置。
【請求項６】
前記復調部は、前記受信部により受信された前記電波を前記デジタル信号であるトランスポートストリームに変換する
ことを特徴とする請求項１〜５のいずれか１項に記載のデジタル放送受信装置。
【請求項７】
前記第１復号部は、ＭＰＥＧ２に準拠した復号を行い、
前記第２復号部は、Ｈ．２６４に準拠した復号を行う
ことを特徴とする請求項１〜６のいずれか１項に記載のデジタル放送受信装置。
【請求項８】
前記第１デジタル放送は、地上波デジタル放送におけるフルセグメント放送であり、
前記第２デジタル放送は、地上波デジタル放送におけるワンセグメント放送である
ことを特徴とする請求項１〜７のいずれか１項に記載のデジタル放送受信装置。
【請求項９】
前記第１デジタル放送は、衛星波デジタル放送における弱階層の放送であり、
前記第２デジタル放送は、衛星波デジタル放送における強階層の放送である
ことを特徴とする請求項１〜７のいずれか１項に記載のデジタル放送受信装置。
【請求項１０】
第１デジタル放送と第２デジタル放送とが１つのチャンネルに階層化されて放送されるデジタル放送の電波から、前記第１デジタル放送又は前記第２デジタル放送の映像データを生成し出力する半導体集積回路であって、
前記電波をデジタル信号に復調する復調部と、
前記デジタル信号に含まれる前記第１デジタル放送の映像データである第１映像データが圧縮された第１データを復号する第１復号部と、
前記デジタル信号に含まれる前記第２デジタル放送の映像データである第２映像データが圧縮された第２データを復号する第２復号部と、
前記第１復号部により復号された前記第１映像データ、又は前記第２復号部により復号された前記第２映像データを選択する選択部と、
前記選択部により選択された前記第１映像データ又は前記第２映像データを出力する出力部と、
前記選択部が前記第１映像データを選択しているとき、前記第２復号部に復号処理の一部を省略させる制御部とを備える
ことを特徴とする半導体集積回路。
【請求項１１】
第１デジタル放送と第２デジタル放送とが１つのチャンネルに階層化されて放送されるデジタル放送の電波を受信し、前記第１デジタル放送又は前記第２デジタル放送の映像データを出力するデジタル放送受信装置におけるデジタル放送受信方法であって、
前記でデジタル放送受信装置は、
前記電波を受信する受信部と、
前記受信部により受信された前記電波をデジタル信号に復調する復調部と、
前記デジタル信号に含まれる前記第１デジタル放送の映像データである第１映像データが圧縮された第１データを復号する第１復号部と、
前記デジタル信号に含まれる前記第２デジタル放送の映像データである第２映像データが圧縮された第２データを復号する第２復号部と、
前記第１復号部により復号された前記第１映像データ、又は前記第２復号部により復号された前記第２映像データを選択する選択部と、
前記選択部により選択された前記第１映像データ又は前記第２映像データを出力する出力部とを備え、
前記デジタル放送受信方法は、
前記選択部が前記第１映像データを選択しているとき、前記第２復号部に復号処理の一部を省略させる
ことを特徴とするデジタル放送受信方法。
【請求項１２】
第１デジタル放送と第２デジタル放送とが１つのチャンネルに階層化されて放送されるデジタル放送の電波を受信し、前記第１デジタル放送又は前記第２デジタル放送の映像データを出力するデジタル放送受信装置におけるデジタル放送受信方法のプログラムであって、
前記でデジタル放送受信装置は、
前記電波を受信する受信部と、
前記受信部により受信された前記電波をデジタル信号に復調する復調部と、
前記デジタル信号に含まれる前記第１デジタル放送の映像データである第１映像データが圧縮された第１データを復号する第１復号部と、
前記デジタル信号に含まれる前記第２デジタル放送の映像データである第２映像データが圧縮された第２データを復号する第２復号部と、
前記第１復号部により復号された前記第１映像データ、又は前記第２復号部により復号された前記第２映像データを選択する選択部と、
前記選択部により選択された前記第１映像データ又は前記第２映像データを出力する出力部とを備え、
前記プログラムは、
前記選択部が前記第１映像データを選択しているとき、前記第２復号部に復号処理の一部を省略させる処理をコンピュータに実行させる
ことを特徴とするプログラム。
【発明の詳細な説明】
【技術分野】
【０００１】
本発明は、デジタル放送受信装置、半導体集積回路及びデジタル放送受信方法に関し、特に、第１デジタル放送と第２デジタル放送とが１つのチャンネルに階層化されて放送されるデジタル放送の電波を受信し、第１デジタル放送又は第２デジタル放送の映像データを出力するデジタル放送受信装置に関する。
【背景技術】
【０００２】
地上波デジタルテレビ放送では、据置機器向けのフルセグメント放送（以下、フルセグ）と、携帯機器及び移動体向けのワンセグメント放送（以下、ワンセグ）とが各チャンネルにおける複数の階層で同時に放送されている。つまり、各チャンネルにおける複数の階層で同時に同一のコンテンツが放送されている。
【０００３】
近年、カーナビゲーションシステム及び車載用テレビ等の携帯機器及び移動体に搭載されるデジタル放送受信装置では、フルセグ及びワンセグを受信し、デジタル放送信号の受信状況と、デジタルデータの復元状況と、その他種々の条件とによって視聴対象とする階層を自動的に決定し、映像及び音声をシームレスに切替えるデジタル放送受信装置が提案されている。
【０００４】
具体的には、映像及び音声をシームレスに切替えるデジタル放送受信装置は、受信状況が良い場合には、高画質のフルセグを視聴対象とし、受信状況が悪い場合には、低画質であるが受信が容易なワンセグを視聴対象とする。
【０００５】
複数の階層に放送される同一のコンテンツの映像及び音声をシームレスに切替える場合、デジタル放送受信装置は、それぞれの階層の映像データ及び音声データを同時に処理しておき、切り替え条件を満たした瞬間に出力する映像及び音声を切替える。
【０００６】
例えば、シームレスに放送を切り替えるデジタル放送受信装置として、特許文献１記載のデジタル放送受信装置が知られている。
【特許文献１】特開２００６−１６６０３５号公報
【発明の開示】
【発明が解決しようとする課題】
【０００７】
しかしながら、複数の階層の映像データ及び音声データを同時に処理し続けることは、システムに大きな負荷をかけると共に、電力の消費量が大きくなる。近年、家電製品では低消費電力が求められることに加え、特に移動体に搭載されるような場合、消費できる電力に限りがある。
【０００８】
このため、使用しない機能ブロックを停止することで、消費電力をできる限り抑えることが重要となる。しかしながら、従来のデジタル放送受信装置では、階層の切り替えにともなう機能ブロックの起動及び停止の方法について考慮されていない。
【０００９】
本発明はこれらの課題を解決するものであり、映像及び音声を途切れることなく切り替えでき、かつ消費電力を低減できるデジタル放送受信装置、半導体集積回路及びデジタル放送受信方法を提供することを目的とする。
【課題を解決するための手段】
【００１０】
上記目的を達成するために、本発明に係るデジタル放送受信装置は、第１デジタル放送と第２デジタル放送とが１つのチャンネルに階層化されて放送されるデジタル放送の電波を受信し、前記第１デジタル放送又は前記第２デジタル放送の映像データを出力するデジタル放送受信装置であって、前記電波を受信する受信部と、前記受信部により受信された前記電波をデジタル信号に復調する復調部と、前記デジタル信号に含まれる前記第１デジタル放送の映像データである第１映像データが圧縮された第１データを復号する第１復号部と、前記デジタル信号に含まれる前記第２デジタル放送の映像データである第２映像データが圧縮された第２データを復号する第２復号部と、前記第１復号部により復号された前記第１映像データ、又は前記第２復号部により復号された前記第２映像データを選択する選択部と、前記選択部により選択された前記第１映像データ又は前記第２映像データを出力する出力部と、前記選択部が前記第１映像データを選択しているとき、前記第２復号部に復号処理の一部を省略させる制御部とを備える。
【００１１】
この構成によれば、本発明に係るデジタル放送受信装置は、第１復号部及び第２復号部により、第１デジタル放送と第２デジタル放送との映像データを並列に復号することができる。これにより、本発明に係るデジタル放送受信装置は、第１デジタル放送と第２デジタル放送とを、映像及び音声が途切れることなく切り替えることができる。
【００１２】
さらに、本発明に係るデジタル放送受信装置は、第１デジタル放送の映像データを出力している間は、第２デジタル放送の復号処理の一部を省略する。これにより、デジタル放送受信装置の消費電力を低減することができる。
【００１３】
また、前記第２復号部は、前記第２データをピクチャ単位のデータに分離し、分離したピクチャ単位のデータが自身のピクチャのみを用いて復号できる画面内予測符号化ピクチャのデータであるか、他のピクチャを参照し復号する画面間予測符号化ピクチャのデータであるかを判別する解析部と、前記画面内予測符号化ピクチャのデータを復号することで前記第２映像データを生成する画面内予測符号化ピクチャ復号部と、前記画面間予測符号化ピクチャのデータを復号することで前記第２映像データを生成する画面間予測符号化ピクチャ復号部とを備え、前記制御部は、前記選択部が前記第１映像データを選択する場合に、前記画面間予測符号化ピクチャ復号部による前記画面間予測符号化ピクチャのデータの復号処理を省略させてもよい。
【００１４】
この構成によれば、画面間予測符号化ピクチャの復号処理を省略することにより、デジタル放送受信装置の消費電力を低減することができる。
【００１５】
また、前記第２復号部は、さらに、前記制御部による制御により、前記画面間予測符号化ピクチャ復号部による前記画面間予測符号化ピクチャのデータの復号処理が省略されている間、前記画面内予測符号化ピクチャ復号部により最後に復号された前記第２映像データを保持し、継続出力する保持部を備え、前記選択部は、前記第１復号部により復号された前記第１映像データ、又は前記保持部により出力される前記第２映像データを選択してもよい。
【００１６】
この構成によれば、最後に復号された画面内予測符号化ピクチャの映像データが保持部により継続出力される。これにより、映像及び音声が途切れることなく第１デジタル放送から第２デジタル放送に切り替えることができる。
【００１７】
また、前記第２復号部は、ピクチャ内における復号の処理単位の境界に生じるノイズを低減するデブロックフィルタ処理を行うデブロックフィルタ部を備え、前記制御部は、前記選択部が前記第１映像データを選択する場合に、前記デブロックフィルタ部による前記デブロックフィルタ処理を省略させてもよい。
【００１８】
この構成によれば、デブロックフィルタ処理を省略することにより、デジタル放送受信装置の消費電力を低減することができる。
【００１９】
また、前記第２デジタル放送は、前記第１デジタル放送に比べて、低画質、かつ受信が容易であり、前記選択部は、前記第１復号部において前記第１データを前記第１映像データに良好に復元できる場合に、前記第１映像データを選択し、前記第１データを前記第１映像データに良好に復元できない場合に、前記第２映像データを選択してもよい。
【００２０】
この構成によれば、高画質の第１デジタル放送の受信が困難な場合に、低画質の第２デジタル放送に視聴対象を切り替えるデジタル放送受信装置において、高画質な第１デジタル放送を視聴している間の消費電力を低減できる。
【００２１】
また、前記復調部は、前記受信部により受信された前記電波を前記デジタル信号であるトランスポートストリームに変換してもよい。
【００２２】
この構成によれば、本発明に係るデジタル放送受信装置は、トランスポートストリームに含まれる画像ストリーム及び音声ストリームを復号することで映像データを生成することができる。
【００２３】
また、前記第１復号部は、ＭＰＥＧ２に準拠した復号を行い、前記第２復号部は、Ｈ．２６４に準拠した復号を行ってもよい。
【００２４】
この構成によれば、本発明に係るデジタル放送受信装置は、ＭＰＥＧ２及びＨ．２６４に準拠し圧縮された映像データをそれぞれ復号することができる。
【００２５】
また、前記第１デジタル放送は、地上波デジタル放送におけるフルセグメント放送であり、前記第２デジタル放送は、地上波デジタル放送におけるワンセグメント放送であってもよい。
【００２６】
この構成によれば、地上波デジタル放送におけるフルセグ及びワンセグを復号するデジタル放送受信装置であって、映像及び音声を途切れることなく切り替えでき、かつ消費電力を低減できるデジタル放送受信装置を実現できる。
【００２７】
また、前記第１デジタル放送は、衛星波デジタル放送における弱階層の放送であり、前記第２デジタル放送は、衛星波デジタル放送における強階層の放送であってもよい。
【００２８】
この構成によれば、衛星波デジタル放送における弱階層及び強階層を復号するデジタル放送受信装置であって、映像及び音声を途切れることなく切り替えでき、かつ消費電力を低減できるデジタル放送受信装置を実現できる。
【００２９】
また、本発明に係る半導体集積回路は、第１デジタル放送と第２デジタル放送とが１つのチャンネルに階層化されて放送されるデジタル放送の電波から、前記第１デジタル放送又は前記第２デジタル放送の映像データを生成し出力する半導体集積回路であって、前記電波をデジタル信号に復調する復調部と、前記デジタル信号に含まれる前記第１デジタル放送の映像データである第１映像データが圧縮された第１データを復号する第１復号部と、前記デジタル信号に含まれる前記第２デジタル放送の映像データである第２映像データが圧縮された第２データを復号する第２復号部と、前記第１復号部により復号された前記第１映像データ、又は前記第２復号部により復号された前記第２映像データを選択する選択部と、前記選択部により選択された前記第１映像データ又は前記第２映像データを出力する出力部と、前記選択部が前記第１映像データを選択しているとき、前記第２復号部に復号処理の一部を省略させる制御部とを備える。
【００３０】
この構成によれば、本発明に係る半導体集積回路は、第１復号部及び第２復号部により、第１デジタル放送と第２デジタル放送との映像データを並列に復号することができる。これにより、本発明に係る半導体集積回路は、第１デジタル放送と第２デジタル放送とを、映像及び音声が途切れることなく切り替えることができる。
【００３１】
さらに、本発明に係る半導体集積回路は、第１デジタル放送の映像データを出力している間は、第２デジタル放送の復号処理の一部を省略する。これにより、半導体集積回路の消費電力を低減することができる。
【００３２】
なお、本発明は、このようなデジタル放送受信装置として実現できるだけでなく、デジタル放送装置に含まれる特徴的な部をステップとするデジタル放送受信方法として実現したり、そのような特徴的なステップをコンピュータに実行させるプログラムとして実現したりすることもできる。そして、そのようなプログラムは、ＣＤ−ＲＯＭ等の記録媒体及びインターネット等の伝送媒体を介して流通させることができるのは言うまでもない。
【発明の効果】
【００３３】
以上より、本発明は、映像及び音声を途切れることなく切り替えでき、かつ消費電力を低減できるデジタル放送受信装置、半導体集積回路及びデジタル放送受信方法を提供できる。
【発明を実施するための最良の形態】
【００３４】
以下、本発明を実施するための最良の形態について図面を参照しながら説明する。なお、デジタル放送受信装置の基本的な構成や動作等については当業者には既知であるため、詳しい説明を省略する。
【００３５】
また、ここでは一実施例として、地上波デジタルテレビ放送において、フルセグと、ワンセグとが複数の階層（セグメント）を含む１つのチャンネルで同時に送信されている場合について説明する。
【００３６】
地上波デジタル放送では、１つのチャンネルが１３のセグメントに分かれた構造となっている。１３のセグメントのうち、フルセグ（ハイビジョン放送）には１２セグメントが割り当てられ、ワンセグには１セグメントが割り当てられている。また、通常画質の放送には４セグメントが割り当てられている。
【００３７】
ワンセグは、フルセグに比べ低画質であるが、電波状況が悪い場合でも受信を行いやすい。また、ワンセグとフルセグとでは、同一のコンテンツが放送される。
【００３８】
また、地上波デジタル放送では、圧縮された映像データが送信される。フルセグの圧縮形式はＭＰＥＧ２であり、ワンセグの圧縮形式はＨ．２６４である。
【００３９】
まず、本発明の実施の形態に係るデジタル放送受信装置の構成を説明する。
【００４０】
例えば、本発明の実施の形態に係るデジタル放送受信装置は、カーナビゲーションシステム又は車載テレビが備えるデジタル放送受信装置である。なお、本発明の実施の形態に係るデジタル放送受信装置は、携帯用ＴＶ、ＴＶ機能付きのノート型パーソナルコンピュータ、携帯情報端末（ＰＤＡ）、及び携帯電話機器等に適用してもよい。
【００４１】
図１は、本発明の実施の形態に係るデジタル放送受信装置の機能構成を示すブロック図である。
【００４２】
図１に示すデジタル放送受信装置１００は、フルセグとワンセグとが１つのチャンネルに階層化されて送信される地上波デジタル放送の電波を受信する。デジタル放送受信装置１００は、受信した電波からフルセグ及びワンセグの映像データを復号し、フルセグ又はワンセグの映像データを選択的に出力する。
【００４３】
デジタル放送受信装置１００は、受信アンテナ１０１と、チューナ部１０２と、復調部１０３と、ＴＳ（トランスポートストリーム）処理部１０４と、フルセグ復号部１０５と、ワンセグ復号部１０６と、切替部１０７と、制御部１０８と、出力部１０９とを備える。
【００４４】
受信アンテナ１０１は、地上波デジタル放送の電波を受信する受信アンテナである。
【００４５】
チューナ部１０２は、受信アンテナ１０１を介して地上波デジタル放送の電波を受信する。チューナ部１０２は、受信アンテナ１０１により受信された電波から、特定の周波数帯域の電波を抽出する。つまり、チューナ部１０２は、地上波デジタル放送の所定のチャンネルを選択し、所定のチャンネルの電波を抽出する。
【００４６】
復調部１０３は、チューナ部１０２により抽出された電波をデジタル信号に復調する。具体的には、復調部１０３は、チューナ部１０２により抽出された電波を複数のトランスポートストリームパケット（ＴＳパケット）からなるトランスポートストリームに変換する。
【００４７】
ＴＳ処理部１０４は、復調部１０３により復調されたデジタル信号に含まれるデータを分離する。具体的には、各ＴＳパケットはそれぞれ、映像データ又は放送情報等に対応する。ＴＳ処理部１０４は、復調部１０３により復調されトランスポートストリームに含まれるＴＳパケットを映像データと、放送情報とに分離する。
【００４８】
フルセグ復号部１０５は、ＴＳ処理部１０４により分離された複数のデータのうち、フルセグに用いられるデータを映像データに復号する。つまり、フルセグ復号部１０５は、ＴＳ処理部１０４により分離された複数のデータのうち、フルセグの映像データが圧縮されたデータを復号する。
【００４９】
フルセグ復号部１０５は、ＭＰＥＧ２に準拠した復号を行う。フルセグ復号部１０５は、分離されたデータを可変長復号化することで量子化直交変換係数を生成し、当該量子化直交変換係数に逆量子化処理及び逆直交変換処理を行うことで差分画素値を生成し、参照画像から予測画像データを生成し、当該差分画素値と当該予測画像データとから映像データを生成する。
【００５０】
ワンセグ復号部１０６は、ＴＳ処理部１０４により分離された複数のデータのうち、ワンセグに用いられるデータを映像データに復号する。つまり、ワンセグ復号部１０６は、ＴＳ処理部１０４により分離された複数のデータのうち、ワンセグの映像データが圧縮されたデータを復号する。
【００５１】
ワンセグ復号部１０６は、Ｈ．２６４に準拠した復号を行う。なお、具体的なワンセグ復号部１０６の処理は、フルセグ復号部１０５の処理と同様である。なお、ワンセグ復号部１０６は、さらに、Ｈ．２６４で規定されているデブロックフィルタ処理を行う。デブロックフィルタ処理は、ピクチャ内における復号化の処理単位であるマクロブロック境界に生じるノイズを低減するためのフィルタ処理である。
【００５２】
フルセグ復号部１０５によるフルセグの映像データに対する復号処理と、ワンセグ復号部１０６によるワンセグの映像データに対する復号処理とは、並列に行われる。
【００５３】
切替部１０７は、フルセグ復号部１０５及びワンセグ復号部１０６により生成された映像データのうち、出力する映像データを切り替える。切替部１０７は、フルセグ復号部１０５又はワンセグ復号部１０６により生成された映像データを選択し、選択した映像データを出力部１０９に出力する。つまり、切替部１０７により、視聴対象の放送がフルセグとワンセグとの間で切り替えられる。
【００５４】
制御部１０８は、デジタル放送信号の受信状況、及びデジタルデータの復元状況等に応じて、切替部１０７にフルセグ又はワンセグの切り替えを指示する。具体的には、制御部１０８は、デジタル放送信号の受信状況が良く、フルセグ復号部１０５においてフルセグの映像データを良好に復元できている場合に、切替部１０７にフルセグを選択させる。制御部１０８は、デジタル放送信号の受信状況が悪く、フルセグの映像データを良好に復元できない場合に、切替部１０７にワンセグを選択させる。
【００５５】
また、制御部１０８は、切替部１０７がフルセグ復号部１０５により復号された映像データを選択しているときに、ワンセグ復号部１０６に復号処理の一部を省略させる制御を行う。つまり、制御部１０８は、視聴対象がフルセグの場合に、ワンセグ復号部１０６に復号処理の一部を省略させる。
【００５６】
出力部１０９は、切替部１０７により選択された映像データを出力する。出力部１０９により出力された映像データは、例えば、車内の表示部（ディスプレイ）に表示される。
【００５７】
以上の構成により、デジタル放送受信装置１００は、フルセグ復号部１０５及びワンセグ復号部１０６により、フルセグとワンセグとの映像データをそれぞれ同時に復号することができる。これにより、デジタル放送受信装置１００は、フルセグからワンセグへの切り替えをシームレスに行うことができる。
【００５８】
さらに、デジタル放送受信装置１００は、フルセグの映像データを出力している間は、ワンセグの映像データの復号処理の一部を省略する。これにより、デジタル放送受信装置１００の消費電力を低減することができる。
【００５９】
ここで、チューナ部１０２、復調部１０３、ＴＳ処理部１０４、フルセグ復号部１０５、ワンセグ復号部１０６、切替部１０７、制御部１０８、及び出力部１０９は、１チップ又は複数チップの半導体集積回路として形成される。なお、各処理部が実現する機能は、半導体集積回路に形成される専用の回路（ハードウェア）により実現されてもよいし、ＣＰＵ等がプログラムを実行すること（ソフトウェア）により実現されてもよい。
【００６０】
図２は、ワンセグ復号部１０６の詳細な構成を示すブロック図である。ワンセグ復号部１０６は、ヘッダ解析部２０１と、Ｉピクチャ復号部２０２と、Ｐピクチャ復号部２０３と、復号結果保持部２０４と、復号制御部２０５とを備える。
【００６１】
ヘッダ解析部２０１は、ＴＳ処理部１０４により分離されたワンセグに用いられるデータを解析する。具体的には、ヘッダ解析部２０１は、ＴＳ処理部１０４により分離されたデータをさらにピクチャ単位のデータに分離する。ヘッダ解析部２０１は、分離したピクチャ単位のデータがＩピクチャ（Ｉｎｔｒａ−Ｐｉｃｔｕｒｅ）のデータであるかＰピクチャ（Ｐｒｅｃｉｃｔｉｖｅ-Ｐｉｃｔｕｒｅ）のデータであるかを判別する。ヘッダ解析部２０１は、分離したピクチャのうちＩピクチャのデータをＩピクチャ復号部２０２に出力し、ＰピクチャのデータをＰピクチャ復号部２０３に出力する。
【００６２】
ここで、Ｉピクチャとは、自身のピクチャのみを用いて復号できるピクチャであり、具体的には、ピクチャ（又はフレーム）内での予測符号化を行う画面内予測符号化ピクチャである。また、Ｐピクチャとは、他のピクチャを参照し復号するピクチャであり、具体的には、他のピクチャ（又はフレーム）を参照することで、ピクチャ間で予測符号化を行う画面間予測符号化ピクチャである。すなわち、本実施例では、ＭＰＥＧ２及びＨ．２６４における所謂Ｐピクチャ及びＢピクチャを含む画面間予測符号化ピクチャをＰピクチャと表現している。
【００６３】
Ｉピクチャ復号部２０２は、ヘッダ解析部２０１により出力されるＩピクチャのデータを復号して映像データを出力する。
【００６４】
Ｐピクチャ復号部２０３は、ヘッダ解析部２０１により出力されるＰピクチャのデータを復号して映像データを出力する。
【００６５】
復号制御部２０５は、ヘッダ解析部２０１により出力されたピクチャ単位のデータがＩピクチャの場合にはＩピクチャ復号部２０２を動作させ、Ｐピクチャの場合にはＰピクチャ復号部２０３を動作させる。復号制御部２０５は、ヘッダ解析部２０１から取得した情報に基づき、ヘッダ解析部２０１により出力されたピクチャ単位のデータがＩピクチャであるか、Ｐピクチャであるかを判断する。
【００６６】
また、復号制御部２０５は、制御部１０８からワンセグ復号部１０６の復号処理を一部省略する指示を受けた場合に、Ｐピクチャ復号部２０３によるＰピクチャのデータの復号処理を省略させる。つまり、復号制御部２０５は、ヘッダ解析部２０１により出力されるピクチャ単位のデータがＰピクチャの場合に、Ｐピクチャ復号部２０３を動作させない制御を行う。
【００６７】
復号結果保持部２０４は、Ｉピクチャ復号部２０２及びＰピクチャ復号部２０３により出力される映像データを保持する。復号結果保持部２０４は、新たにＩピクチャ復号部２０２又はＰピクチャ復号部２０３により映像データが入力されるまで映像データを保持し続ける。つまり、復号結果保持部２０４は、Ｐピクチャ復号部２０３によるＰピクチャのデータの復号処理が省略されている間、Ｉピクチャ復号部２０２により最後に復号された映像データを保持し、継続出力する。
【００６８】
以上の構成により、デジタル放送受信装置１００は、フルセグが選択されている間は、Ｐピクチャの復号処理を省略する。これにより、デジタル放送受信装置１００の消費電力を低減することができる。
【００６９】
また、最後に復号されたＩピクチャの映像データが復号結果保持部２０４により継続出力される。これにより、映像及び音声が途切れることなくフルセグからワンセグに視聴対象の放送を切り替えることができる。
【００７０】
次に、デジタル放送受信装置１００の動作を説明する。
【００７１】
図３は、ワンセグ復号部１０６による処理の流れを示すフローチャートである。図３に示すフローチャートは、デジタル放送受信装置１００が、既に放送を受信中の状態を表す。
【００７２】
まず、制御部１０８は、切替部１０７がフルセグ及びワンセグのうちどちらを選択しているか判定する（Ｓ３０１）。
【００７３】
切替部１０７がワンセグを選択している場合（Ｓ３０１でワンセグ）、ヘッダ解析部２０１は、ＴＳ処理部１０４から復号するデータを取得する（Ｓ３０２）。ヘッダ解析部２０１は、取得したデータから１ピクチャ分のデータを抜き出す。
【００７４】
次に、ヘッダ解析部２０１は、抜き出したピクチャの種類を判別する(Ｓ３０３)。例えば、ヘッダ解析部２０１は、取得したデータのヘッダ部分を参照することで、ピクチャの種類を判別する。
【００７５】
抜き出したピクチャがＩピクチャの場合（Ｓ３０３でＩピクチャ）、ヘッダ解析部２０１は、当該ＩピクチャをＩピクチャ復号部２０２に出力する。
【００７６】
Ｉピクチャ復号部２０２は、ヘッダ解析部２０１により出力されたＩピクチャを復号し映像データを生成する（Ｓ３０４）。Ｉピクチャ復号部２０２は、復号した映像データを復号結果保持部２０４に出力する（Ｓ３０６）。
【００７７】
一方、抜き出したピクチャがＰピクチャの場合（Ｓ３０３でＰピクチャ）、ヘッダ解析部２０１は、当該ＰピクチャをＰピクチャ復号部２０３に出力する。
【００７８】
Ｐピクチャ復号部２０３は、ヘッダ解析部２０１により出力されたＰピクチャを復号し映像データを生成する（Ｓ３０５）。Ｐピクチャ復号部２０３は、復号した映像データを復号結果保持部２０４に出力する（Ｓ３０６）。
【００７９】
一方、切替部１０７がフルセグを選択している場合（Ｓ３０１でフルセグ）、ステップＳ３０２の処理と同様に、ヘッダ解析部２０１は、ＴＳ処理部１０４から復号するデータを取得する（Ｓ３０７）。ヘッダ解析部２０１は、取得したデータから１ピクチャのデータを抜き出す。
【００８０】
次に、ヘッダ解析部２０１は、抜き出したピクチャの種類を判別する(Ｓ３０８)。
【００８１】
抜き出したピクチャがＩピクチャの場合（Ｓ３０８でＩピクチャ）、ヘッダ解析部２０１は、当該ＩピクチャをＩピクチャ復号部２０２に出力する。
【００８２】
Ｉピクチャ復号部２０２は、ヘッダ解析部２０１により出力されたＩピクチャを復号し映像データを生成する（Ｓ３０９）。Ｉピクチャ復号部２０２は、復号した映像データを復号結果保持部２０４に出力する（Ｓ３１０）。
【００８３】
一方、抜き出したピクチャがＰピクチャの場合（Ｓ３０８でＰピクチャ）、Ｐピクチャ復号部２０３は、当該Ｐピクチャの復号化を行わない。
【００８４】
ステップＳ３０６及びＳ３１０において、復号された映像データが復号結果保持部２０４に保持された後、後続のピクチャに対して、ステップＳ３０１以降の処理が繰り返し行われる。また、ステップＳ３０８においてＰピクチャと判別された場合にも、後続のピクチャに対してステップＳ３０１以降の処理が繰り返し行われる。
【００８５】
なお、図３に示す処理の制御は、制御部１０８及び復号制御部２０５によって実現される。
【００８６】
以下、図４を用いてデジタル放送受信装置１００の具体的な動作例を説明する。
【００８７】
図４は、デジタル放送受信装置１００の受信処理におけるシーケンス図である。図４の縦軸には、ＴＳ処理部１０４、フルセグ復号部１０５、ヘッダ解析部２０１、ワンセグ復号部１０６、復号結果保持部２０４、切替部１０７、及び出力部１０９を記述し、横軸には時刻を記述している。
【００８８】
時刻は一部抜粋のため、時刻ｎ、ｎ＋１、ｎ＋２、ｎ＋３、ｎ＋４、及びｎ＋５の部分を記した。また、時刻ｎ、ｎ＋１、ｎ＋２、ｎ＋３、ｎ＋４、及びｎ＋５のそれぞれ間隔は、デジタル放送受信装置１００が、１ピクチャに対して復号処理を行う時間に対応する。
【００８９】
縦軸と横軸との交点には各時刻において各処理部がワンセグ又はフルセグのデータを処理又は保持しているかを表す。また、フルセグ１〜フルセグ４及びワンセグ１〜ワンセグ４はそれぞれフルセグ及びワンセグの１ピクチャ分のデータに対応する。
【００９０】
以下時刻に従って、各処理部の処理について説明する。
【００９１】
（時刻ｎ）
ＴＳ処理部１０４は、フルセグ１及びワンセグ１を分離する。なお、ＴＳ処理部１０４は、時刻ｎ＋１〜ｎ＋３において、それぞれフルセグ２〜４及びワンセグ２〜４を分離する。
【００９２】
（時刻ｎ＋１）
フルセグ復号部１０５は、時刻ｎでＴＳ処理部１０４により分離されたフルセグ１のデータを復号する。以降、フルセグ復号部１０５は、時刻ｎ＋２〜ｎ＋４においてそれぞれ１だけ前の時刻ｎ＋１〜ｎ＋３で分離されたフルセグ２〜４を復号する。
【００９３】
ヘッダ解析部２０１は、時刻ｎでＴＳ処理部１０４により分離されたワンセグ１のデータがＩピクチャであるか、Ｐピクチャであるかを判別する。ここでは、ヘッダ解析部２０１による判定結果はＩピクチャなので、ワンセグ復号部１０６はワンセグ１のデータを復号することで映像データを生成する。復号結果保持部２０４はワンセグ１の映像データを保持する。
【００９４】
（時刻ｎ＋２）
切替部１０７はフルセグを選択しており、ヘッダ解析部２０１でワンセグ２のデータはＰピクチャと判定されたため、ワンセグ復号部１０６は、復号を行わない。そのため復号結果保持部２０４は、引き続きワンセグ１の映像データを保持する。
【００９５】
また、切替部１０７がフルセグを選択しているので、出力部１０９は時刻ｎ＋１のフルセグ１の映像データを出力する。
【００９６】
（時刻ｎ＋３）
切替部１０７はフルセグを選択しており、ヘッダ解析部２０１でワンセグ３のデータはＰピクチャと判定されたため、時刻ｎ＋２同様、ワンセグ復号部１０６は復号を行わない。そのため復号結果保持部２０４は、引き続きワンセグ１の映像データを保持する。
【００９７】
また、切替部１０７がフルセグを選択しているので、出力部１０９は時刻ｎ＋２のフルセグ２の映像データを出力する。
【００９８】
（時刻ｎ＋４）
切替部１０７はワンセグを選択してので、ワンセグ復号部１０６は、ワンセグ４のデータを復号する。
【００９９】
復号結果保持部２０４は、復号されたワンセグ４の映像データを保持する。
【０１００】
また、切替部１０７がワンセグを選択しているので、出力部１０９は時刻ｎ＋３において復号結果保持部２０４に保持されるワンセグ１の映像データを出力する。
【０１０１】
（時刻ｎ＋５）
切替部１０７がワンセグを選択しているので、出力部１０９は時刻ｎ＋４において復号結果保持部２０４に保持されるワンセグ４の映像データを出力する。
【０１０２】
以上のように、デジタル放送受信装置１００は、時刻ｎ＋２及びｎ＋３においてワンセグ２及びワンセグ３のＰピクチャの復号を行わない。これにより、デジタル放送受信装置１００は、常にワンセグの復号を行う場合に比べて、消費電力を削減することができる。
【０１０３】
さらに、デジタル放送受信装置１００は、Ｉピクチャに関しては復号を行い復号結果保持部２０４に保持する。これにより、切替部１０７によりフルセグからワンセグに視聴対象の放送が切り替えられた場合でも、復号結果保持部２０４が最後に復号されたワンセグ１の映像データを継続して保持しているため、時刻ｎ＋４でワンセグ１の映像データを出力することができる。すなわち、デジタル放送受信装置１００は、ブラックアウトを発生させずに、映像を継続して出力することができる。
【０１０４】
以上、本発明の一実施例について説明したが、上記実施例は本発明を実現するための一具体例に過ぎず、本発明は他の様々な態様によって実施することができる。
【０１０５】
例えば、上記説明では、ワンセグ及びフルセグの２階層を受信する場合を説明したが、本発明は、これに限らない。例えば、本発明は、衛星波デジタル放送の弱階層、及び強階層の２階層を受信する場合にも適用することができる。なお、強階層は、弱階層に比べ低画質であるが、電波状況が悪い場合でも受信を行いやすい。
【０１０６】
また、上記説明では、ワンセグ及びフルセグの２階層を受信する場合を説明したが、３階層以上を受信する場合にも本発明を適用することができる。
【０１０７】
また、上記説明では、フルセグが選択されている場合に、ワンセグに対してＰピクチャの復号処理を省略する例について述べたが、Ｐピクチャの復号処理を省略する代わりに、Ｈ．２６４のデコード処理の一部であるデブロックフィルタ処理を省略してもよい。つまり、制御部１０８は、切替部１０７がフルセグを選択する場合に、ワンセグ復号部１０６によるデブロックフィルタ処理を省略させてもよい。Ｈ．２６４の復号処理の中で処理量の多いデブロックフィルタ処理を省略することで、フルセグを選択している場合のデジタル放送受信装置１００の消費電力を削減することができる。また、デブロックフィルタ処理を省略する場合には、ワンセグ復号部１０６は、復号結果保持部２０４を備えなくてもよい。
【０１０８】
さらに、ワンセグ復号部１０６は、フルセグが選択されている場合に、Ｐピクチャの復号処理と、Ｉピクチャに対するデブロックフィルタ処理とを共に省略してもよい。
【０１０９】
また、上記説明では、図３及び図４に示すように、制御部１０８は、切替部１０７の選択の確認（Ｓ３０１）を、１ピクチャ毎に行っているが、所定の数のピクチャ単位に行ってもよい。
【産業上の利用可能性】
【０１１０】
本発明は、地上波デジタル放送及び衛星波デジタル放送等のデジタル放送受信装置に適用できる。特に、車載テレビ、携帯用ＴＶ、カーナビゲーションシステム、ノート型パーソナルコンピュータ、ＰＤＡ及び携帯電話機器等の携帯機器及び移動体に搭載されるデジタル放送受信装置に適用できる。
【図面の簡単な説明】
【０１１１】
【図１】本発明の実施の形態に係るデジタル放送受信装置の機能構成を示すブロック図である。
【図２】本発明の実施の形態に係るワンセグ復号部の機能構成を示すブロック図である。
【図３】本発明の実施の形態に係るワンセグ復号部による処理の流れを示すフローチャートである。
【図４】本発明の実施の形態に係るデジタル放送受信装置による動作例におけるシーケンス図である。
【符号の説明】
【０１１２】
１００  デジタル放送受信装置
１０１  受信アンテナ
１０２  チューナ部
１０３  復調部
１０４  ＴＳ処理部
１０５  フルセグ復号部
１０６  ワンセグ復号部
１０７  切替部
１０８  制御部
１０９  出力部
２０１  ヘッダ解析部
２０２  Ｉピクチャ復号部
２０３  Ｐピクチャ復号部
２０４  復号結果保持部
２０５  復号制御部
【図１】
2009077039.tif 000003
【図２】
2009077039.tif 000004
【図３】
2009077039.tif 000005
【図４】
2009077039.tif 000006